(57)【要約】      （修正有）【課題】音声による吐水制御を可能とする水栓装置であって、音声による指示のみによって、汎用性の高い吐水制御を行いうる水栓装置およびそれを用いた水栓システムを提供する。【解決手段】使用者が音声入出力器に指示内容を発話することにより、ネットワーク１００を介して吐水状態を制御する水栓システム１０Ａである。流路の開通及び遮断を切り替えるための電磁弁３０と、音声入出力器７０からの発話情報に基づく指示情報を、ネットワーク１００を介して取得する通信制御部４０と、水栓システム１０Ａの吐水状態を検出値として出力する検出部２６と、取得した指示情報と検出値とに基づいて、吐出するか否かを第１の制御情報として弁に出力する吐止水制御部と、を備える、水栓装置２０Ａである。【選択図】図１
2020084750.tif 000002
【特許請求の範囲】
【請求項１】
使用者が音声入出力器に指示内容を発話することにより、ネットワークを介して吐水状態を制御する水栓装置であって、
流路の開通及び遮断を切り替えるための弁と、
前記音声入出力器からの発話情報に基づく指示情報を、前記ネットワークを介して取得する通信制御手段と、
前記水栓装置の吐水状態を検出値として出力する検出手段と、
前記取得した指示情報と前記検出値とに基づいて、吐出するか否かを第１の制御情報として前記弁に出力する吐止水制御手段と、
を備える、水栓装置。
【請求項２】
前記検出値に基づいて吐水条件を演算し、前記吐水条件の情報を演算情報として出力する演算処理手段と、
前記指示情報と前記演算情報とを照合することにより、前記演算情報が前記指示情報の内容を満たしているか否かを判定し、該判定結果に基づいて、前記弁を制御するための第２の制御情報として前記吐止水制御手段を介して出力する判定手段と、
を備える、請求項１に記載の水栓装置。
【請求項３】
前記検出手段は流量計であることを特徴とする、請求項１または請求項２に記載の水栓装置。
【請求項４】
前記演算情報は吐水中の瞬時流量の情報を含み、
前記演算処理手段は、
前記瞬時流量を含む演算情報と指示された吐水量の情報を含む前記指示情報とに基づいて、吐水時間を算出する、請求項１ないし請求項３のいずれかに記載の水栓装置。
【請求項５】
前記演算情報は、開栓時から検出時までの積算流量の情報を含む、請求項１ないし請求項４のいずれかに記載の水栓装置。
【請求項６】
前記弁は、電動弁である、請求項１ないし請求項５のいずれかに記載の水栓装置。
【請求項７】
前記検出手段が、前記演算処理手段に対して前記検出値を出力するためのサンプリング時間は、前記指示情報に含まれる吐水量または吐水時間または前記演算された吐水時間に基づいて決定される、請求項２ないし請求項６のいずれかに記載の水栓装置。
【請求項８】
使用者が音声入出力器に指示内容を発話することにより、ネットワークを介して吐水状態を制御する水栓装置であって、
前記水栓装置は、
水栓本体と、前記ネットワークに接続される遠隔端末とにより構成され、
前記水栓本体は、
流路の開通及び遮断を切り替えるための弁と、
前記水栓装置の吐水状態を検出値として出力する検出手段と、
前記取得した指示情報と前記検出値に基づき、吐出するか否かを第１の制御情報として前記弁に出力する吐止水制御手段と、
を備え、
前記遠隔端末は、
前記音声入出力器からの発話情報に基づく指示情報を、前記ネットワークを介して取得する通信制御手段と、
前記検出値に基づいて吐水量を演算し、演算情報として出力する演算処理手段と、
前記指示情報と前記演算情報とを照合することにより、演算情報が指示情報の内容を満たしているか否かを判定し、該判定結果に基づき、前記駆動手段を制御するための第２の制御情報として前記吐止水制御手段を介して出力する判定手段と、
を備え、
前記遠隔端末は、前記ネットワークと前記水栓本体とのいずれに対しても良好に接続可能な位置に配置される、水栓装置。
【請求項９】
使用者からの発話による指示内容を入力するための音声入出力器と、
請求項１ないし請求項８のいずれかに記載の水栓装置とが、ネットワークを介して接続されて構成される、水栓システム。
【請求項１０】
前記音声入出力器は、片手で保持可能な情報処理端末により構成され、
前記情報処理端末は、使用者からの発話による発話情報を取得するための音声入出力手段と、前記ネットワークに接続するための通信手段と、対話型の音声操作に対応するＡＩアシスタント機能を使用可能な状態に組み込まれ、前記取得された発話情報を処理し、前記通信手段を介して送信するための機能を有する情報処理手段と、を備える、請求項９記載の水栓システム。
【請求項１１】
前記ネットワークを介して接続され、前記水栓装置における吐水状態を確認するための外部端末をさらに含む、請求項９または請求項１０に記載の水栓システム。
【発明の詳細な説明】
【技術分野】
【０００１】
本発明は、水栓装置およびそれを用いた水栓システムに関し、特に、たとえば、音声認識に対応した水栓装置およびそれを用いた水栓システムに関する。
【背景技術】
【０００２】
従来より、使用者が音声により吐水状態を変更させる命令を発することにより、吐水あるいは止水等の制御を行いうる水栓装置が提案されている。
【０００３】
このような音声認識の手段を備えた混合栓として、特許文献１に記載されるような混合栓が提案されている。特許文献１に記載の音声認識機能付混合栓は、湯と水を混合する混合栓本体と、この混合栓本体の温度調節を電動によって制御する温度調節部と、混合栓の吐水量を電動によって制御する吐水制御部と、マイクを介して入力された音声データをあらかじめ格納された音声比較用メモリ部のデータと比較判断する音声認識部を有し、かつ音声認識部からの判断信号をもとに前記温度調節部と吐水制御部へ制御信号を送る中央制御部を有する混合栓コントローラとを備えるように構成されている。
【０００４】
また、音声認識の手段を備えた水栓装置として、特許文献２に記載されるような水栓器具が提案されている。特許文献２に記載の水栓器具は、音声を電気信号に変換するマイクロフォンと、前記マイクロフォンで得た電気信号を増幅する増幅部と、前記増幅部の出力を言語として認識する音声認識手段と、吐水状態を変更する吐水状態変更手段と、前記音声認識手段の出力に対応して吐水状態変更手段を制御する制御部とを備えている。
【先行技術文献】
【特許文献】
【０００５】
【特許文献１】特開昭６０−１４６７７号公報
【特許文献２】特開２０００−１３６５５５号公報
【発明の概要】
【発明が解決しようとする課題】
【０００６】
しかしながら、特許文献１に記載の音声認識機能付混合栓や特許文献２に記載の水栓器具では、吐水状態と音声に基づく指示による情報との間で相反する状態となった場合に、水栓装置自体からはなんらフィードバックもなく、水栓装置は、無反応であるか、あるいは、誤作動を生じる虞があった。
また、特許文献１に記載の音声認識機能付混合栓や特許文献２に記載の水栓器具に対する音声に基づく指示による情報は、吐水あるいは止水の切り替えに関する情報であるか、あるいは湯と水の混合の割合に基づく温度調整に関する情報であり、使用者が所望する吐水時間や吐水量等を指示することは困難である問題があった。
【０００７】
それゆえに、この発明の主たる目的は、音声による吐水制御を可能とする水栓装置であって、音声による指示のみによって、汎用性の高い吐水制御を行いうる水栓装置およびそれを用いた水栓システムを提供することである。
【課題を解決するための手段】
【０００８】
この発明にかかる水栓装置は、使用者が音声入出力器に指示内容を発話することにより、ネットワークを介して吐水状態を制御する水栓装置であって、流路の開通及び遮断を切り替えるための弁と、音声入出力器からの発話情報に基づく指示情報を、ネットワークを介して取得する通信制御手段と、水栓装置の吐水状態を検出値として出力する検出手段と、取得した指示情報と検出値とに基づいて、吐出するか否かを第１の制御情報として弁に出力する吐止水制御手段と、を備える、水栓装置水栓装置である。
また、この発明にかかる水栓装置は、検出値に基づいて吐水条件を演算し、吐水条件の情報を演算情報として出力する演算処理手段と、指示情報と演算情報とを照合することにより、演算情報が指示情報の内容を満たしているか否かを判定し、該判定結果に基づいて、弁を制御するための第２の制御情報として吐止水制御手段を介して出力する判定手段と、を備える、ことが好ましい。
また、この発明にかかる水栓装置は、検出手段が流量計であることが好ましい。
さらに、この発明にかかる水栓装置は、演算情報が吐水中の瞬時流量の情報を含み、演算処理手段が、瞬時流量を含む演算情報と指示された吐水量の情報を含む指示情報とに基づいて、吐水時間を算出することが好ましい。
さらにまた、この発明にかかる水栓装置は、演算情報は、開栓時から検出時までの積算流量の情報を含むことが好ましい。
また、この発明にかかる水栓装置は、弁が、電動弁であることが好ましい。
さらに、この発明にかかる水栓装置は、検出手段が、演算処理手段に対して検出値を出力するタイミングは、指示情報に含まれる吐水量または吐水時間に基づいて決定されることが好ましい。
この発明にかかる水栓装置は、使用者が音声入出力器に指示内容を発話することにより、ネットワークを介して吐水状態を制御する水栓装置であって、水栓装置が、水栓本体と、ネットワークに接続される遠隔端末とにより構成され、水栓本体は、流路の開通及び遮断を切り替えるための弁と、水栓装置の吐水状態を検出値として出力する検出手段と、取得した指示情報と検出値に基づき、吐出するか否かを第１の制御情報として弁に出力する吐止水制御手段と、を備え、遠隔端末が、音声入出力器からの発話情報に基づく指示情報を、ネットワークを介して取得する通信制御手段と、検出値に基づいて吐水量を演算し、演算情報として出力する演算処理手段と、指示情報と演算情報とを照合することにより、演算情報が指示情報の内容を満たしているか否かを判定し、該判定結果に基づき、駆動手段を制御するための第２の制御情報として吐止水制御手段を介して出力する判定手段と、を備え備え、遠隔端末は、ネットワークと水栓本体とのいずれに対しても良好に接続可能な位置に配置される、水栓装置である。
この発明にかかる水栓システムは、使用者からの発話による指示内容を入力するための音声入出力器と、本発明にかかる水栓装置とが、ネットワークを介して接続されて構成される、水栓システムである。
この発明にかかる水栓システムは、ネットワークを介して接続され、水栓装置における吐水状態を確認するための外部端末をさらに含むことが好ましい。
【０００９】
この発明にかかる水栓装置によれば、吐水状態を検出するための検出手段を備えるので、水栓装置が、吐水されているか否かを検出することができる。したがって、吐水する旨の音声による操作により指示した場合に吐水のみの操作が可能となり、適切に制御することができ、一方、止水する旨の音声による操作により指示した場合にも止水するのみの操作が可能となり、適切に制御することができる。
また、この発明にかかる水栓装置によれば、演算処理手段が、検出値に基づいて吐水条件を演算し、吐水条件の情報を演算情報として出力し、判定手段が、指示情報と演算情報とを照合することにより、演算情報が指示情報の内容を満たしているか否かを判定し、該判定結果に基づいて、弁を制御するための第２の制御情報として吐止水制御部を介して出力することができる。
さらに、この発明にかかる水栓装置によれば、検出手段が流量計により構成されていると、瞬時流量や開栓時から検出時までの積算流量の基となる情報を検出値として出力することができるので、吐水量により指示された場合にも適切に制御することができる。
また、この発明にかかる水栓装置によれば、検出手段が、演算処理手段に対して検出値を出力するサンプリング時間が、指示情報に含まれる吐水量または吐水時間に基づいて決定されると、精度よく、指示情報に応じた使用者が所望する吐水量を得ることができる。
以上のように、この発明にかかる水栓装置によれば、音声による吐水制御を可能とする水栓装置であって、音声による指示のみによって、汎用性の高い吐水制御を行うことができる。
さらにまた、この発明にかかる水栓装置によれば、弁が電動弁により構成されていると、電動弁により吐水される水の温度や流量を調整することができる。
また、この発明にかかる水栓装置によれば、遠隔端末を含んでおり、該遠隔端末をネットワークと水栓本体とのいずれに対しても無線により良好に接続可能な位置に配置させると、音声入出力器からのネットワークを介して指示を水栓本体に確実に伝達させることができる。
【発明の効果】
【００１０】
この発明によれば、音声による吐水制御を可能とする水栓装置であって、音声による指示のみによって、汎用性の高い吐水制御を行いうる水栓装置およびそれを用いた水栓システムを提供することができる。
【００１１】
この発明の上述の目的、その他の目的、特徴及び利点は、図面を参照して行う以下の発明を実施するための形態の説明から一層明らかとなろう。
【図面の簡単な説明】
【００１２】
【図１】この発明の第１の実施の形態にかかる水栓システムの構成例を示す図解図である。
【図２】この発明の第１の実施の形態にかかる水栓システムの構成例を示す斜視構成図である。
【図３】この発明の第１の実施の形態にかかる水栓システムを用いた吐水時の動作を示すフローチャートを示す図である。
【図４】この発明の第１の実施の形態にかかる水栓システムを用いた止水時の動作を示すフローチャートを示す図である。
【図５】この発明の第１の実施の形態にかかる水栓システムを用いた所定の吐水量を指示した場合の動作を示すフローチャートを示す図である。
【図６】この発明の第２の実施の形態にかかる水栓システムの構成例を示す図解図である。
【図７】この発明の第３の実施の形態にかかる水栓システムの構成例を示す図解図である。
【図８】この発明の第４の実施の形態にかかる水栓システムの構成例を示す図解図である。
【図９】この発明の第４の実施の形態にかかる水栓システムの構成例を示す斜視構成図である。
【図１０】この発明の第５の実施の形態にかかる水栓システムの構成例を示す図解図である。
【図１１】この発明の第５の実施の形態にかかる水栓システムの情報処理端末の表示手段における表示例を示す。
【発明を実施するための形態】
【００１３】
以下、添付図面を参照して本発明の実施の形態について説明する。なお、以下に示す実施の形態は、本発明を具体化した一例であって、本発明の技術的範囲を限定するものではない。
【００１４】
１．第１の実施の形態
図１は、この発明の第１の実施の形態にかかる水栓システムの構成例を示す図解図である。図２は、この発明の第１の実施の形態にかかる水栓システムの構成例を示す斜視構成図である。この発明にかかる水栓システム１０Ａが備える水栓装置２０Ａは、たとえば、台所のシンクや洗面台などに設置される。そして、水栓システム１０Ａは、本システムを導入することにより、使用者が、音声により汎用性の高い吐水制御を可能としたシステムである。
【００１５】
水栓システム１０Ａは、後述する音声入出力器７０からの発話情報に基づく指示情報により吐水制御を行うための水栓装置２０Ａと、使用者からの指示内容を入力し、水栓装置２０Ａからの吐水状態等を出力するための音声入出力器７０と、音声入出力器７０からの発話情報に基づいて指示情報を出力する情報提供機能部７５と、水栓装置１０の吐水状態や吐水履歴等を確認するための外部端末８０とから構成されており、ネットワーク１００を介して、有線あるいは無線により、それぞれが接続されている。
【００１６】
水栓装置２０Ａは、使用者が音声入出力器７０に対して行った指示内容を発話することにより、ネットワーク１００を介して吐水状態を制御する機能を有する。
水栓装置２０Ａは、水栓部２２、制御部２４および検出部２６を含む。
【００１７】
水栓部２２は、制御部２４により制御される吐水するか否かの制御に伴い吐水するための配管系を構成する。
水栓部２２は、電磁弁３０および吐水部３２により構成される。電磁弁３０は、流路の開通及び遮断を切り替えるために設けられる。電磁弁３０には、該電磁弁３０に給水するための配管３６が接続される。そして、電磁弁３０からは配管３８を介して吐水部３２に接続される。そして、電磁弁３０は、後述する制御部２４より出力される制御信号に基づいて制御される。電磁弁３０は、台所のシンクの下部や洗面台の下部などの水栓隠蔽部２７に配置される。
吐水部３２は、電磁弁３０を介して給水された水を吐出するために設けられる。
【００１８】
制御部２４は、音声入出力器７０により発話された発話情報を、情報提供機能部７５を介して出力された指示情報を取得し、その取得された指示情報に基づいて水栓装置２０Ａを制御するために設けられる。制御部２４は、台所のシンクの下部や洗面台の下部などの水栓隠蔽部２７に配置される。
【００１９】
制御部２４は、通信制御部４０、吐止水制御部４２、演算処理部４４および判定制御部４６により構成される。また、制御部２４は、図示しないが、水栓装置２０Ａによる吐水状況を吐水履歴情報として格納するための記憶手段を含む。記憶手段には、使用者が水栓装置２０Ａを使用した年月日および時間、たとえば、吐水開始時間および吐水停止時間の情報が格納される。
【００２０】
通信制御部４０は、音声入出力器からの発話情報に基づく指示情報を、ネットワーク１００を介して取得するために設けられる。指示情報は、たとえば、「水を出して」や「水を止めて」などにより指示される吐止水の指示、「水を３０秒出して」などの吐水時間を具体的に特定する指示、「水を５００ｍｌ出して」などの吐水量を具体的に特定する指示、あるいは「水を増やして」や「水を減らして」などの指示による発話情報に基づいて情報提供機能部７５において生成された情報である。
【００２１】
吐止水制御部４２は、通信制御部４０が取得した指示情報と後述する検出部２６が出力した検出値とに基づいて、吐出するか否かを第１の制御情報として電磁弁３０に出力するために設けられる。
【００２２】
演算処理部４４は、検出値に基づいて吐水条件を演算し、吐水条件の情報を演算情報として出力するために設けられる。演算処理部４４は、検出部２６が検出した検出値に基づいて、吐水条件である瞬時流量や積算流量を演算し、演算情報として生成する。また、吐水量が指示された場合に、演算した瞬時流量と指示情報に含まれる吐水量とから吐水時間を演算情報として生成する。この吐水時間は、たとえば、演算した結果得られた瞬時流量が毎分１リットルの場合に、指示情報に含まれる吐水量（すなわち、使用者が所望する吐水量）が５００ｍｌの場合、吐水時間は、３０秒として演算される。すなわち、演算情報は、たとえば、演算された吐水中の瞬時流量、積算流量、および吐水時間の情報を含む。なお、吐水時間や瞬時流量を演算する際に、流量が安定する時間（数秒）を考慮して吐水量を検出してもよい。演算処理部４４は、検出値を取得してからの時間経過をカウントする機能を有する。
【００２３】
判定制御部４６は、通信制御部４０が取得した指示情報と演算処理部４４が出力した演算情報とを照合することにより、該演算情報が該指示情報の内容を満たしているか否かを判定し、該判定結果に基づいて、電磁弁３０を制御するための第２の制御情報として吐止水制御手段４２を介して出力するために設けられる。なお、判定制御部４６による該演算情報が該指示情報の内容を満たしているか否の判定は、たとえば、瞬時流量に基づいて演算された吐水時間に到達したか否かで判定するか、あるいは積算流量が指示された吐水量に到達したか否かで判定することができる。
また、判定制御部４６は、演算情報を取得してからの時間経過をカウントする機能を有する。
【００２４】
検出部２６は、吐水状態を検出値として出力するために設けられる。検出部２６は、たとえば、流量計が用いられる。検出部２６は、電磁弁３０の下流側に隣接して設けられる。検出部２６が出力する検出値は、水栓部２２において吐水されているか否かの情報や電磁弁３０における瞬時流量、あるいは、開栓時から検出時までの積算流量の基となる情報を含む。また、検出部２６が、演算処理部４４に対して検出値を出力するタイミング（サンプリング時間）は、指示情報に含まれる吐水量または演算情報に含まれる吐水時間に基づいて決定される。すなわち、たとえば、指示情報に含まれる吐水時間がＮ回のサンプリング時間（たとえば、１分×Ｎ）を超える場合や、吐水量と瞬時流量とにより算出される演算情報に含まれる吐水時間がＮ回のサンプリング時間（たとえば、１分×Ｎ）を超える場合には、再度、検出部２６は、演算処理部４４に対して検出値が出力される。
なお、検出部２６は、水栓部２２において吐水しているか否かのみを検出することができるセンサであれば、流量計に限られない。
検出部２６は、台所のシンクの下部や洗面台の下部などの水栓隠蔽部２７に配置される。
【００２５】
音声入出力器７０は、対話型の音声操作に対応するＡＩ（人工知能：Ａｒｔｉｆｉｃｉａｌ  Ｉｎｔｅｌｌｉｇｅｎｃｅ）アシスタント機能を利用可能なスピーカであり、たとえば、スマートスピーカあるいはＡＩスピーカである。たとえば、音声入出力器７０は、使用者からの指示内容である発話情報を情報提供機能部７５へ送信する機能を有し、水栓装置２０Ａを制御する。また、水栓装置２０Ａからの出力情報に基づいて、情報提供機能部７５を介して音声出力器から出力すべき情報を自発的に発話により出力する機能を有する。
【００２６】
情報提供機能部７５は、音声入出力器７０に対して使用者が発話した指示情報に基づいて水栓装置２０Ａを制御するための指示情報に変換し、出力するために設けられる。情報提供機能部７５は、たとえば、ＩＦＴＴＴ（Ｉｆ  Ｔｈｉｓ  Ｔｈｅｎ  ｔｈａｔ）およびＢｅｅｂｏｔｔｅにより構成することができる。具体的には、音声入出力器７０による発声情報をトリガーとして、ＩＦＴＴＴを介してＢｅｅｂｏｔｔｅに送信され、Ｂｅｅｂｏｔｔｅが生成した指示情報は、水栓装置２０Ａの制御部２４における通信制御部４０に取得される。なお、情報提供機能部７５は、ＩＦＴＴＴおよびＢｅｅｂｏｔｔｅにより構成されることに限られず、その他の同様のサービスを利用してもよい。
たとえば、指示情報は、たとえば、「水を出して」や「水を止めて」などにより指示される吐止水の指示、「水を３０秒出して」などの吐水時間を具体的に特定する指示、「水を５００ｍｌ出して」などの吐水量を具体的に特定する指示、あるいは「水を増やして」や「水を減らして」などの指示による発話情報に基づいて情報提供機能部７５において生成された情報である。
【００２７】
外部端末８０は、ネットワーク１００を介して水栓装置２０Ａに接続可能な通信機器（図示せず）を含み、たとえば、携帯電話、スマートフォン、あるいはタブレット端末等の携帯端末やＰＣにより構成されうる。また、本発明にかかる水栓システム１０Ａにおいて、好ましくは、外部端末８０は、複数の端末を含む。外部端末８０は、通信制御部４０を介して水栓装置２０Ａの記憶手段に接続することで、遠隔地に居ながら、水栓装置２０Ａの吐水履歴や吐水状況を把握することができる。
【００２８】
続いて、第１の実施の形態にかかる水栓システム１０Ａの動作について説明する。
【００２９】
水栓システム１０Ａに対して、使用者が発話することにより吐水する動作について説明する。図３は、この発明の第１の実施の形態にかかる水栓システムを用いた吐水時の動作を示すフローチャートを示す図である。
まず、通信制御部４０は、使用者が音声入出力器７０を通じて発声した発声情報に基づいて情報提供機能部７５が生成した吐水する旨の指示情報を取得する（ステップＳ１０）。続いて、検出部２６は、水栓装置２０Ａの吐水部２２における吐水状態が、止水状態か吐水状態かを検出し、その結果を検出値として制御部２４に出力する（ステップＳ１２）。制御部２４のたとえば、判定制御部４６において止水状態であると検出された場合（ステップＳ１４）、弁を開く旨の第１の制御情報を、吐止水制御部４２を介して電磁弁３０に対して出力する（ステップＳ１６）。そして、吐水部３２より吐水される（ステップＳ１８）。一方、制御部２４のたとえば、判定制御部４６において吐水状態であると検出された場合（ステップＳ１４）、情報提供機能部７５を介して、音声入出力器７０は吐水中である旨を自発的に発話より出力する（ステップＳ２０）。
【００３０】
次に、水栓システム１０Ａに対して、使用者が発話することにより止水する動作について説明する。図４は、この発明の第１の実施の形態にかかる水栓システムを用いた止水時の動作を示すフローチャートを示す図である。
まず、通信制御部４０は、使用者が音声入出力器７０を通じて発声した発声情報に基づいて情報提供機能部７５が生成した止水する旨の指示情報を取得する（ステップＳ３０）。続いて、検出部２６は、水栓装置２０Ａの吐水部２２における吐水状態が、止水状態か吐水状態かを検出し、その結果を検出値として制御部２４に出力する（ステップＳ３２）。制御部２４のたとえば、判定制御部４６において吐水状態であると検出された場合（ステップＳ３４）、弁を閉じる旨の第１の制御情報を、吐止水制御部４２を介して電磁弁３０に対して出力する（ステップＳ３６）。そして、吐水部３２より止水される（ステップＳ３８）。一方、制御部２４のたとえば、判定制御部４６において止水状態であると検出された場合（ステップＳ３４）、情報提供機能部７５を介して、音声入出力器７０は止水中である旨を自発的に発話より出力する（ステップＳ４０）。
【００３１】
続いて、水栓システム１０Ａに対して、使用者が発話することにより使用者が所望する吐水量を吐水させる動作について説明する。図５は、この発明の第１の実施の形態にかかる水栓システムを用いた所定の吐水量を指示した場合の動作を示すフローチャートを示す図である。
まず、通信制御部４０は、使用者が音声入出力器７０を通じて発声した発声情報に基づいて情報提供機能部７５が生成した使用者が所望する吐水量を吐水する旨の指示情報を取得する（ステップＳ５０）。続いて、検出部２６は、水栓装置２０Ａの吐水部２２における吐水状態が、止水状態か吐水状態かを検出し、その結果を検出値として制御部２４に出力する（ステップＳ５２）。制御部２４のたとえば、判定制御部４６において止水状態であると検出された場合（ステップＳ５４）、弁を開く旨の第１の制御情報を電磁弁３０に対して出力する（ステップＳ５６）。すると、検出部２６は、瞬時流量１および積算流量を検出値として出力する（ステップＳ５８）。次に、演算処理部４４は、それぞれの検出値を取得し、瞬時流量１および積算流量を演算する（ステップＳ６０）。演算処理部４４は、指示情報に記載される使用者が所望する吐水量および演算された演算情報に含まれる瞬時流量１に基づき、吐水時間１を演算して、演算情報を生成する（ステップＳ６２）。このとき、開栓後の吐水時間が、Ｎ回目のサンプリング時間を経過した場合は（ステップＳ６４）、現在の積算流量と指示された吐水量との差から吐水残量を演算する（ステップＳ６６）。そして、検出値より、現在の瞬時流量２を演算する（ステップＳ６８）。続いて、吐水残量と瞬時流量２に基づいて、吐水時間２を演算して、演算情報を生成する（ステップＳ７０）。このステップＳ６４からステップＳ７０が、Ｎ回繰返される。一方、開栓後の吐水時間が、Ｎ回目のサンプリング時間を超えない場合は（ステップＳ６４）は、判定制御部４６が、指示情報と演算処理部４４が出力した演算情報とを照合することにより、該演算情報が該指示情報の内容を満たしているか否かを判定したとき（たとえば、吐水時間１または吐水時間２に達したと判定したとき）、該判定結果に基づいて、電磁弁３０を制御するための第２の制御情報として吐止水制御手段４２を介して出力する（ステップＳ７２）。そして、吐水部３２より止水される（ステップＳ７４）。一方、制御部２４のたとえば、判定制御部４６において吐水状態であると検出された場合（ステップＳ５４）、情報提供機能部７５を介して、音声入出力器７０は吐水中である旨を自発的に発話より出力する（ステップＳ７６）。
【００３２】
なお、図５に示したように、所定の吐水量を指示した場合に、吐水する方法として、瞬時流量を演算して、所定の吐水量と瞬時流量とから吐水時間を演算したうえで、所定の吐水量を吐水させる方法とは別に、所定の吐水量と演算された積算流量とを照合させることで、所定の吐水量を吐水させるようにしてもよい。
【００３３】
また、水栓システム１０Ａの制御部２４が備える演算処理部４４や判定制御部４６は、時間経過をカウントする機能を有するので、水栓システム１０Ａに対して、使用者が発話することにより使用者が所望する吐水時間だけ吐水させることもできる。このとき、判定制御部４６は、通信制御部４０が取得した吐水時間の情報を含む指示情報と演算処理部４４が出力した演算情報とを照合することにより、該指示情報に含まれる吐水時間が経過したか否かを判定し、該判定結果に基づいて、電磁弁３０を制御するための第２の制御情報として吐止水制御手段４２を介して出力する。
【００３４】
また、水栓システム１０Ａでは、使用者が音声入出力器に指示内容を発話することにより、ネットワーク１００を介して吐水状態を制御する方法として、吐水中に、吐水量の増加の指示、吐水量を減じる指示を、使用者が発話することにより動作させるようにしてもよい。
すなわち、通信制御部４０が、使用者が音声入出力器７０を通じて発声した発声情報に基づいて情報提供機能部７５が生成した吐水量を増加する旨の指示情報を取得すると、吐止水制御部４２を介して、電磁弁３０の弁をより開く旨の第１の制御情報を出力する。そうすると、吐水部３２からは、より吐水量が増加して吐水される。
一方、通信制御部４０が、使用者が音声入出力器７０を通じて発声した発声情報に基づいて情報提供機能部７５が生成した吐水量を減じる旨の指示情報を取得すると、吐止水制御部４２を介して、電磁弁３０の弁をより閉じる旨の第１の制御情報を出力する。そうすると、吐水部３２からは、より吐水量が減じて吐水される。
【００３５】
第１の実施の形態にかかる水栓システム１０Ａの水栓装置２０Ａによれば、水栓部２２における吐水状態を検出するための検出部２６を備えるので、水栓装置２０Ａが、水栓部２２より吐水されているか否かを検出することができる。したがって、吐水する旨の音声による操作により指示した場合に吐水のみの操作が可能となり、適切に制御することができ、一方、止水する旨の音声による操作により指示した場合にも止水するのみの操作が可能となり、適切に制御することができる。
【００３６】
また、第１の実施の形態にかかる水栓システム１０Ａの水栓装置２０Ａによれば、演算処理部４４が、検出値に基づいて吐水条件を演算し、吐水条件の情報を演算情報として出力し、判定制御部４６が、指示情報と演算情報とを照合することにより、演算情報が指示情報の内容を満たしているか否かを判定し、該判定結果に基づいて、電磁弁３０を制御するための第２の制御情報として吐止水制御部４０を介して出力することができる。
【００３７】
さらに、第１の実施の形態にかかる水栓システム１０Ａの水栓装置２０Ａによれば、検出部２６が流量計により構成されていると、瞬時流量や開栓時から検出時までの積算流量の基となる情報を検出値として出力することができるので、吐水量により指示された場合にも適切に制御することができる。
【００３８】
また、第１の実施の形態にかかる水栓システム１０Ａの水栓装置２０Ａによれば、検出部２６が、演算処理部４４に対して検出値を出力するサンプリング時間は、指示情報に含まれる吐水量または吐水時間に基づいて決定される。すなわち、吐水時間が比較的長い場合には、吐水量の精度を維持することが困難となるときがあるが、たとえば、指示情報に含まれる吐水時間が所定のサンプリング時間を超える場合や、吐水量および瞬時流量により算出される吐水時間が所定のサンプリング時間を超える場合には、再度、検出部２６は、演算処理部４４に対して検出値が出力されることから、精度よく、指示情報に応じた使用者が所望する吐水量を得ることができる。
【００３９】
以上のように、第１の実施の形態にかかる水栓システム１０Ａによれば、音声による吐水制御を可能とする水栓装置であって、音声による指示のみによって、汎用性の高い吐水制御を行うことができる。
【００４０】
２．第２の実施の形態
次に、第２の実施の形態にかかる水栓システム１０Ｂについて説明する。図６は、この発明の第２の実施の形態にかかる水栓システムの構成例を示す図解図である。
【００４１】
なお、この第２の実施の形態にかかる水栓システム１０Ｂが備える水栓装置２０Ｂは、水栓部２２において、電磁弁３０が、給水電磁弁３０ａおよび給湯電磁弁３０ｂを備え、さらに、流量・温度調整部３４を備え、配管３６が、給水管３６ａおよび給湯管３６ｂを備え、配管３８が、給水管３８ａおよび給湯管３８ｂを備え、検出部２６が、第１の検出部２６ａおよび第２の検出部２６ｂを備えていることを除いて、図１に示す水栓装置２０Ａと同様の構成を有する。したがって、図１に示した水栓システム１０Ａと同一部分には、同一の符号を付して、その説明を省略する。
【００４２】
図６に示すように、水栓システム１０Ｂにおいて、水栓部２２における電磁弁３０は、給水するための給水電磁弁３０ａと給湯するための給湯電磁弁３０ｂとを備える。給水電磁弁３０ａには、給水管３６ａが接続され、給湯電磁弁３０ｂには、給湯管３６ｂが接続される。また、給水電磁弁３０ａからは配管３８ａを介して流量・温度調整部３４に接続され、給湯電磁弁３０ｂからは配管３８ｂを介して流量・温度調整部３４に接続される。そして、給水電磁弁３０ａおよび給湯電磁弁３０ｂは、制御部２４より出力される制御信号に基づいて制御される。
【００４３】
検出部２６は、第１の検出部２６ａと第２の検出部２６ｂとを備える。第１の検出部２６ａは、給水電磁弁３０ａの下流側に隣接して設けられ、第２の検出部２６ｂは、給湯電磁弁３０ｂの下流側に隣接して設けられる。第１の検出部２６ａおよび第２の検出部２６ｂにより検出されたそれぞれの検出値は、演算処理部４４において演算情報を生成するために用いられる。第１の検出部２６ａは、給水電磁弁３０ａから吐出された流量を検出値として出力し、第２の検出部２６ｂは、給湯電磁弁３０ｂから吐出された流量を検出値として出力する。第１の検出部２６ａおよび第２の検出部２６ｂが出力する検出値は、それぞれの電磁弁における瞬時流量や開栓時から検出時までの積算流量の基となる情報を含む。
【００４４】
水栓システム１０Ｂが備える水栓装置２０Ｂの水栓部２２は、さらに、流量・温度調整部３４を備える。流量・温度調整部３４には、給水電磁弁３０ａからの配管３８ａと給湯電磁弁３０ｂからの配管３８ｂが接続される。そして、流量・温度調整部３４は混合弁を備え、レバーの操作により、給水電磁弁３０ａからの水量と給湯電磁弁３０ｂからの湯量とを混合することで、温度と流量を手動により調整することができる。
【００４５】
次に、第２の実施の形態にかかる水栓システム１０Ｂの動作について説明する。
第２の実施の形態にかかる水栓システム１０Ｂでは、使用者が発話により指示することで、水だけでなく、湯も吐出させることができる。すなわち、通信制御部４０が、使用者が音声入出力器７０を通じて発声した発声情報に基づいて情報提供機能部７５が生成した吐水する旨の指示情報を取得すると、吐止水制御部４２を介して、給水電磁弁３０ａおよび給湯電磁弁３０ｂのそれぞれの弁を開く旨の第１の制御情報を出力する。そして、温度や流量の調整は、流量・温度調整部３４を用いて手動で行われる。
なお、本水栓システム１０Ｂでは、所定の温度以上、たとえば、４２℃以上の湯水が吐出されないように、予め設定されていてもよい。このために、たとえば、配管３８ａ，３８ｂ等において、温度センサを設けてもよい。
【００４６】
第２の実施の形態にかかる水栓システム１０Ｂが備える水栓装置２０Ｂによれば、第１の実施の形態にかかる水栓システム１０Ａと同様の効果を奏するとともに、以下の効果も奏する。
すなわち、第２の実施の形態にかかる水栓システム１０Ｂが備える水栓装置２０Ｂによれば、電磁弁３０が給水電磁弁３０ａと給湯電磁弁３０ｂとにより構成されているので、音声による指示により、水栓部２２において、水のみならず湯を吐出することができる。また、流量・温度調整部３４が備える混合弁により吐水される水の温度や流量を調整することができる。
【００４７】
３．第３の実施の形態
次に、第３の実施の形態にかかる水栓システム１０Ｃについて説明する。図７は、この発明の第３の実施の形態にかかる水栓システムの構成例を示す図解図である。
【００４８】
なお、この第３の実施の形態にかかる水栓システム１０Ｃが備える水栓装置２０Ｃは、水栓部２２において、電磁弁３０の代わりに電動弁３１を備え、配管３６が、給水管３６ａおよび給湯管３６ｂを備え、制御部２４において、吐止水制御部４２の代わりに吐止水・温度制御部４３を備えていることを除いて、図１に示す水栓装置２０Ａと同様の構成を有する。したがって、図１に示した水栓システム１０Ａと同一部分には、同一の符号を付して、その説明を省略する。
【００４９】
図７に示すように、電動弁３１は、制御部４６の吐止水・温度制御部４３からの制御情報に基づいて、吐水部２２により吐水される吐水量や吐水温度を制御しうる機能を有する。電動弁３１には、給水管３６ａおよび給湯管３６ｂが接続される。そして、電動弁３１は、給水管３６ａにより供給される水と給湯管３６ｂにより供給される湯との混合する割合や吐水量を電動弁３１が備える駆動装置により駆動されることで、吐水温度や吐水量を制御しうる。
【００５０】
吐止水・温度制御部４３は、通信制御部４０が取得した指示情報に含まれる吐止水する旨の指示、吐水時間、吐水量、および吐水温度と、検出部２６が出力した検出値とに基づいた制御情報として電動弁３１に出力する機能を有する。
【００５１】
次に、第３の実施の形態にかかる水栓システム１０Ｃの動作について説明する。
第３の実施の形態にかかる水栓システム１０Ｃでは、使用者が発話により指示することで、水だけでなく、湯も吐出させることに加えて、温度も指定することができる。すなわち、通信制御部４０が、使用者が音声入出力器７０を通じて発声した発声情報に基づいて情報提供機能部７５が生成した吐水する旨の指示情報を取得すると、吐止水・温度制御部４３を介して、電動弁３１の弁を所定量開く旨の第１の制御情報を出力する。この指示情報は、吐水するか否かの情報に加えて、温度の情報も含む。温度の情報は、特定の温度（３８℃等）でもよいし、「冷たい水」や「熱い水」等による情報でもよい。そうすると、使用者が所望する温度による吐水を行うことができる。一方、通信制御部４０が、使用者が音声入出力器７０を通じて発声した発声情報に基づいて情報提供機能部７５が生成した止水する旨の指示情報を取得すると、吐止水・温度制御部４３を介して、電動弁３１の弁を閉じる旨の第１の制御情報を出力する。そうすると、使用者は、止水を行うことができる。
【００５２】
第３の実施の形態にかかる水栓システム１０Ｃが備える水栓装置２０Ｃによれば、第１の実施の形態にかかる水栓システム１０Ａと同様の効果を奏するとともに、以下の効果も奏する。
すなわち、第３の実施の形態にかかる水栓システム１０Ｃが備える水栓装置２０Ｃによれば、電動弁３１により構成されているので、音声による指示により、吐水する流量や吐水温度を調整するように操作することができる。
【００５３】
４．第４の実施の形態
次に、第４の実施の形態にかかる水栓システム１０Ｄについて説明する。図８は、この発明の第４の実施の形態にかかる水栓システムの構成例を示す図解図である。図９は、この発明の第４の実施の形態にかかる水栓システムの構成例を示す斜視構成図である。
【００５４】
なお、図８および図９に示すように、この第４の実施の形態にかかる水栓システム１０Ｄが備える水栓装置２０Ｄは、第１の実施の形態にかかる水栓システム１０Ａを構成する水栓装置２０Ａと比較して、さらに、水栓本体２８と遠隔端末６０を備える。
【００５５】
水栓本体２８は、水栓部２２、制御部２４および検出部２６を含む。
【００５６】
水栓部２２は、電磁弁３０、吐水部３２および流量・温度調整部３４により構成される。電磁弁３０は、給水するための給水電磁弁３０ａと給湯するための給湯電磁弁３０ｂとを備える。給水電磁弁３０ａには、給水管３６ａが接続され、給湯電磁弁３０ｂには、給湯管３６ｂが接続される。また、給水電磁弁３０ａは配管３８ａを介して流量・温度調整部３４に接続され、給湯電磁弁３０ｂは配管３８ｂを介して流量・温度調整部３４に接続される。そして、給水電磁弁３０ａおよび給湯電磁弁３０ｂは、制御部２４より出力される制御信号に基づいて制御される。電磁弁３０（給水電磁弁３０ａおよび給湯電磁弁３０ｂ）は、台所のシンクの下部や洗面台の下部などの水栓隠蔽部２７に配置される。
吐水部３２には、定流量弁３２ａが設けられる。定流量弁３２ａは、湯と水とが混合した下流側に設けられる。定流量弁３２ａは、たとえば、定流量弁機能付き泡沫器を用いることができる。
【００５７】
制御部２４は、吐止水制御部４２、遠隔端末受信部４８および検出値送信部５０により構成される。遠隔端末受信部４８は、遠隔端末６０が備える後述する遠隔端末送信部６２により送信される制御信号を受信するために設けられる。検出値送信部５０は、検出部２６から取得した検出値を遠隔端末６０が備える後述する検出値受信部６４に送信するために設けられる。制御部２４は、台所のシンクの下部や洗面台の下部などの水栓隠蔽部２７に配置される。このように制御部２４は、水栓隠蔽部２７に配置されているので、ネットワーク１００に対して、直接、無線接続が困難となる状態もあり得る。
【００５８】
検出部２６は、第１の検出部２６ａと第２の検出部２６ｂとを備える。第１の検出部２６ａは、給水電磁弁３０ａの下流側に隣接して設けられ、第２の検出部２６ｂは、給湯電磁弁３０ｂの下流側に隣接して設けられる。第１の検出部２６ａおよび第２の検出部２６ｂにより検出されたそれぞれの検出値は、演算処理部４４において演算情報を生成するために用いられる。第１の検出部２６ａは、給水電磁弁３０ａから吐出された流量を検出値として出力し、第２の検出部２６ｂは、給湯電磁弁３０ｂから吐出された流量を検出値として出力する。第１の検出部２６ａおよび第２の検出部２６ｂが出力する検出値は、それぞれの電磁弁における瞬時流量や開栓時から検出時までの積算流量の基となる情報を含む。検出部２６は、台所のシンクの下部や洗面台の下部などの水栓隠蔽部２７に配置される。
【００５９】
遠隔端末６０は、ネットワーク１００と水栓本体２８とのいずれに対しても良好に接続可能な位置に配置される。具体的には、たとえば、台所のシンクの上部や洗面台の上部などの開放部２９に配置される。遠隔端末６０は、通信制御部４０、演算処理部４４、判定制御部４６、遠隔端末送信部６２、検出値受信部６４により構成される。遠隔端末送信部６２は、通信制御部４０が取得した指示情報や判定制御部４６による判定結果の情報を制御部２４に送信するために設けられる。検出値受信部６４は、制御部２４の検出値送信部５０により送信された検出値を受信し、演算処理部４４にその検出値を出力するために設けられる。
【００６０】
次に、第４の実施の形態にかかる水栓システム１０Ｄの動作について説明する。
第４の実施の形態にかかる水栓システム１０Ｄでは、使用者が発話により指示することで、水だけでなく、湯も吐出させることができる。すなわち、通信制御部４０が、使用者が音声入出力器７０を通じて発声した発声情報に基づいて情報提供機能部７５が生成した吐水する旨の指示情報を取得すると、吐止水制御部４２を介して、給水電磁弁３０ａおよび給湯電磁弁３０ｂのそれぞれの弁を開く旨の第１の制御情報を出力する。そして、温度や流量の調整は、流量・温度調整部３４を用いて手動で行われる。このとき、ネットワーク１００と水栓システム１０Ｄが備える水栓装置２０Ｄとは、たとえば、台所のシンクの上部や洗面台の上部などの開放部２９に配置される遠隔端末６０を介してそれぞれ同士が接続されるので、安定した通信を確保することができ、水栓システム１０Ｄによる使用者の発声情報に基づく水栓装置２０Ｄの吐止水等の制御を安定して行うことができる。
【００６１】
第４の実施の形態にかかる水栓システム１０Ｄが備える水栓装置２０Ｄによれば、第１の実施の形態にかかる水栓システム１０Ａと同様の効果を奏するとともに、以下の効果も奏する。
すなわち、第４の実施の形態にかかる水栓システム１０Ｄが備える水栓装置２０Ｄによれば、水栓装置２０Ｄが遠隔端末６０を含んでいるので、遠隔端末６０をネットワーク１００と水栓本体２８とのいずれに対しても無線により良好に接続可能な位置に配置させることで、音声入出力器７０からのネットワーク１００を介して指示を水栓本体２８の制御部４４に確実に伝達させることができる。
【００６２】
５．第５の実施の形態
次に、第５の実施の形態にかかる水栓システム１０Ｅについて説明する。図１０は、この発明の第５の実施の形態にかかる水栓システムの構成例を示す図解図である。
【００６３】
なお、図１０に示すように、この第５の実施の形態にかかる水栓システム１０Ｅは、第１の実施の形態にかかる水栓システム１０Ａないし第４の実施の形態にかかる水栓システム１０Ｄと比較して、音声入出力器７０の代わりに情報処理端末９０を備える点が異なる。
【００６４】
情報処理端末９０は、音声入出力手段９２と、通信手段９４と、情報処理手段９６と、表示手段９８と、を備える。情報処理端末９０は、たとえば、スマートフォンやタブレット端末等の情報処理端末により構成される。なお、情報処理端末９０は、片手で保持可能な大きさの端末により構成されることが好ましい。
【００６５】
音声入出力手段９２は、使用者からの発話による発話情報を取得し、情報処理手段９６に出力するための機能を有する。また、音声入出力手段９２は、水栓装置２０Ａ（〜２０Ｄ）からの出力情報に基づいて、情報提供機能部７５を介して情報処理端末９０が出力すべき情報を自発的に発話により出力する機能を有する。音声入出力手段９２は、たとえば、スピーカにより構成される。
【００６６】
通信手段９４は、ネットワーク１００に接続され、該ネットワーク１００を介して水栓装置２０Ａ（〜２０Ｄ）や情報提供機能部７５等と通信するための機能を有する。通信手段９４は、たとえば、極低電力での通信が可能なＢｌｕｅｔｏｏｔｈ（登録商標）、Ｚｉｇｂｅｅ（登録商標）やＷｉｆｉ（登録商標）等の様々な無線技術を利用することができるように構成される。また、通信手段９４は、ネットワーク１００との通信方式として、たとえば、移動通信の第３世代（３Ｇ：３ｒｄ．Ｇｅｎｅｒａｔｉｏｎ）方式、ＬＴＥ（Ｌｏｎｇ  Ｔｅｒｍ  Ｅｖｏｌｕｔｉｏｎ）方式、４Ｇ方式、５Ｇ方式、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等を利用することができるように構成される。これにより、この通信手段９４を備える情報処理端末９０を用いて水栓装置２０Ａ（〜２０Ｄ）を、遠隔により操作することができる。
【００６７】
情報処理手段９６は、対話型の音声操作に対応するＡＩアシスタント機能のソフトウェアを使用可能な状態に組み込まれ（インストールされ）、取得された発話情報を処理するための機能を有する。また、情報処理手段９６は、音声入出力手段９２により取得された使用者による発話情報を、情報提供機能部７５へ通信手段９４を介して送信する機能を有する。なお、ＡＩアシスタント機能を有したソフトウェアの更新は、情報処理端末９０が備える情報処理手段９６に対して行うだけでよく、水栓装置２０Ａ（〜２０Ｄ）における制御のソフトウェアについては、なんら更新する必要はない。
【００６８】
表示手段９８は、情報処理手段９６に組み込まれるＡＩアシスタント機能のソフトウェアによる動作状況を表示するために設けられる。表示手段９８は、動作状況の表示が可能なデバイス、たとえば、液晶または有機ＥＬ等から構成されるディスプレイ等により構成される。
【００６９】
ここで、第５の実施の形態にかかる水栓システム１０Ｅの動作については、第１の実施の形態にかかる水栓システム１０Ａないし第４の実施の形態にかかる水栓システム１０Ｄにおいて、音声入出力器７０に代えて情報処理端末９０により使用者による発話情報を取得すること以外は、同様の動作であるので、それらの説明を省略する。
【００７０】
なお、図１１に示すように、第５の実施の形態にかかる水栓システム１０Ｅの動作において、使用者による発話情報は、情報処理手段９６において組み込まれた対話型の音声操作に対応するＡＩアシスタント機能のソフトウェアにより取得され、処理された都度、表示手段９８において表示される。
すなわち、使用者からの発話情報が吐水指示であった場合、吐水を指示する発話情報の文字列（「水を出して」）９９ａ1が表示手段９８に表示され、図３に示すフローチャートに基づいて、吐水時の動作が実行されて、続いて、水栓装置２０Ａからの吐水中である旨の情報の文字列（「水を出します」）９９ａ2が表示される。一方、使用者からの発話情報が止水指示であった場合、止水を指示する発話情報の文字列（「水を止めて」）９９ｂ1が表示手段９８に表示され、図４に示すフローチャートに基づいて、止水時の動作が実行されて、続いて、水栓装置２０Ａからの止水中である旨の情報の文字列（「水を止めます」）９９ｂ2が表示される。
また、使用者からの発話情報が使用者の所望する吐水量を吐水する吐水指示であった場合、使用者の所望する吐水量を指示する発話情報の文字列（「水を５秒出して」あるいは「水を５００ミリリットル出して」）９９ｃ1が表示手段９８に表示され、図５に示すフローチャートに基づいて、所定の吐水量を吐水する動作が実行され、続いて、水栓装置２０Ａからの使用者の所望のする吐水量を吐水中である旨の情報の文字列（「水を５秒出します」あるいは「水を５００ミリリットル出します」）９９ｃ2が表示される。
【００７１】
第５の実施の形態にかかる水栓システム１０Ｅによれば、第１の実施の形態にかかる水栓システム１０Ａないし第４の実施の形態にかかる水栓システム１０Ｄと同様の効果を奏するとともに、以下の効果も奏する。
すなわち、第５の実施の形態にかかる水栓システム１０Ｅによれば、使用者は、吐止水の指示のために音声入出力器７０が設置される場所まで移動して発話する必要がなく、片手で保持している情報処理端末９０を用いて吐止水の指示をすることが可能となる。
【００７２】
また、第５の実施の形態にかかる水栓システム１０Ｅによれば、通信手段９４が、ネットワーク１００との通信方式として、たとえば、移動通信の第３世代（３Ｇ：３ｒｄ．Ｇｅｎｅｒａｔｉｏｎ）方式、ＬＴＥ（Ｌｏｎｇ  Ｔｅｒｍ  Ｅｖｏｌｕｔｉｏｎ）方式、４Ｇ方式、５Ｇ方式、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等を利用することができるように構成されると、水栓装置２０Ａ（〜２０Ｄ）が設置される家の以外の外出先等の遠隔から、この通信手段９４を備える情報処理端末９０を用いて水栓装置２０Ａ（〜２０Ｄ）を操作することができる。これにより、たとえば、ペットのための飲み水の供給等の操作を外出先から行うことができる。
【００７３】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【００７４】
たとえば、第１の実施の形態にかかる水栓システム１０Ａの水栓装置２０Ａにおいて、制御部２４は、演算処理部４４および判定制御部４６を必ずしも備えていなくてもよい。
【００７５】
また、第４の実施の形態に係る水栓システム１０Ｄの水栓装置２０Ｄは、電磁弁３０が給水電磁弁３０ａおよび給湯電磁弁３０ｂにより構成されているが、これに限るものではなく、１つの電磁弁３０のみにより構成されてもよく、電動弁３１により構成されていてもよい。
【産業上の利用可能性】
【００７６】
この発明に係る水栓装置およびそれを用いた水栓システムは、たとえば、台所のシンクやカウンターあるいは洗面台等に配置される水栓装置であって、使用者が音声入出力器に指示内容を発話することにより、ネットワークを介して吐水状態を制御する水栓装置およびそれを用いた水栓システムとして、好適に使用することができる。
【符号の説明】
【００７７】
１０Ａ、１０Ｂ、１０Ｃ、１０Ｄ、１０Ｅ  水栓システム
２０Ａ、２０Ｂ、２０Ｃ、２０Ｄ  水栓装置
２２  水栓部
２４  制御部
２６  検出部
２６ａ  第１の検出部
２６ｂ  第２の検出部
２７  水栓隠蔽部
２８  水栓本体
２９  開放部
３０  電磁弁
３０ａ  給水電磁弁
３０ｂ  給湯電磁弁
３１  電動弁
３２  吐水部
３２ａ  定流量弁
３４  流量・温度調整部
３６  配管
３６ａ  給水管
３６ｂ  給湯管
４０  通信制御部
４２  吐止水制御部
４３  吐止水・温度制御部
４４  演算処理部
４６  判定制御部
４８  遠隔端末受信部
５０  検出値送信部
６０  遠隔端末
６２  遠隔端末送信部
６４  検出値受信部
７０  音声入出力器
７５  情報提供機能部
８０  外部端末
９０  情報処理端末
９２  音声入出力手段
９４  通信手段
９６  情報処理手段
９８  表示手段
９９ａ1  吐水を指示する発話情報の文字列
９９ａ2  吐水中である旨の情報の文字列
９９ｂ1  止水を指示する発話情報の文字列
９９ｂ2  止水中である旨の情報の文字列
９９ｃ1  使用者の所望する吐水量を指示する発話情報の文字列
９９ｃ2  使用者の所望のする吐水量を吐水中である旨の情報の文字列
１００  ネットワーク
【図１】
2020084750.tif 000003
【図２】
2020084750.tif 000004
【図３】
2020084750.tif 000005
【図４】
2020084750.tif 000006
【図５】
2020084750.tif 000007
【図６】
2020084750.tif 000008
【図７】
2020084750.tif 000009
【図８】
2020084750.tif 000010
【図９】
2020084750.tif 000011
【図１０】
2020084750.tif 000012
【図１１】
2020084750.tif 000013